(57)【特許請求の範囲】
【請求項１】
便器が配されるトイレ室の内側の側壁に設けられる鏡と、
前記トイレ室内に設けられ、前記鏡の下方に設けられるカウンターと、
前記カウンターの上面に設けられる水栓と、
を備え、
前記鏡は、
前記鏡の上部に設けられた第１照明と、
前記鏡の下部に設けられた第２照明と、
を有し、
前記第１照明は、前記第１照明の下方および上方に向けて光を照射し、
前記第２照明は、前記第２照明の下方および上方に向けて光を照射するトイレシステム。
【請求項２】
前記鏡の鏡面と前記第２照明の先端部との間の距離は、前記鏡面と前記第１照明の先端部との間の距離よりも短いことを特徴とする請求項１記載のトイレシステム。
【請求項３】
前記第１照明から下方に向けて照射される光の照度は、前記第１照明から上方に向けて照射される光の照度よりも高く、
前記第２照明から下方に向けて照射される光の照度は、前記第２照明から上方に向けて照射される光の照度よりも高いことを特徴とする請求項１または２に記載のトイレシステム。
【請求項４】
前記第１照明から下方に向けて照射される光の照度は、前記第２照明から上方に向けて照射される光の照度よりも高いことを特徴とする請求項３記載のトイレシステム。
【請求項５】
前記第１照明から照射される光の照度は、前記第２照明から照射される光の照度よりも高いことを特徴とする請求項１〜４のいずれか１つに記載のトイレシステム。
【発明の詳細な説明】
【技術分野】
【０００１】
本発明の態様は、一般的に、トイレシステムに関する。
【背景技術】
【０００２】
トイレ室の内部に鏡が設けられる場合がある。例えば、特許文献１では、鏡と、この鏡の下部に設けられた照明と、を有するトイレ室が開示されている。
【先行技術文献】
【特許文献】
【０００３】
【特許文献１】特開２００１−６５０３３号公報
【発明の概要】
【発明が解決しようとする課題】
【０００４】
しかし、特許文献１に記載の構造では、照明が鏡の下部に設けられているため、鏡を十分に照らすことができず、鏡の使い勝手には改善の余地がある。
本発明は、かかる課題の認識に基づいてなされたものであり、使い勝手を向上させることが可能なトイレシステムを提供することを目的とする。
【課題を解決するための手段】
【０００５】
第１の発明は、便器が配されるトイレ室の内側の側壁に設けられる鏡と、前記トイレ室内に設けられ、前記鏡の下方に設けられるカウンターと、前記カウンターの上面に設けられる水栓と、を備え、前記鏡は、前記鏡の上部に設けられた第１照明と、前記鏡の下部に設けられた第２照明と、を有し、前記第１照明は、前記第１照明の下方及び上方に向けて光を照射し、前記第２照明は、前記第２照明の下方及び上方に向けて光を照射するトイレシステムである。
【０００６】
このトイレシステムによれば、第１照明および第２照明により鏡および水栓を十分に照らしてトイレシステムの使い勝手を向上させるとともに、便器の上に座った使用者に対する眩しさを低減させることが可能となる。また、第２照明によって、鏡とカウンターとの間のトイレ室の側壁を照らし、演出効果を高めることができる。
また、このトイレシステムによれば、第１照明から上方に向けて光が照射されることで、トイレ室の天井を照らし、より演出効果を高めることができる。また、第２照明から上方に向けて光が照射されることで、便器の上に座った使用者に対する光の照射を抑えつつ、鏡の前方の使用者をより美しく見せることが可能となる。
【０００９】
第２の発明は、第１の発明において、前記鏡の鏡面と前記第２照明の先端部との間の距離は、前記鏡面と前記第１照明の先端部との間の距離よりも短いことを特徴とするトイレシステムである。
【００１０】
このトイレシステムによれば、水栓で手を洗う際に、使用者から自身の手が見えやすくなり、水栓の使い勝手を向上させることができる。
【００１１】
第３の発明は、第１または第２の発明において、前記第１照明から下方に向けて照射される光の照度は、前記第１照明から上方に向けて照射される光の照度よりも高く、前記第２照明から下方に向けて照射される光の照度は、前記第２照明から上方に向けて照射される光の照度よりも高いことを特徴とするトイレシステムである。
【００１２】
このトイレシステムによれば、第１照明によってトイレ室の天井を柔らかく照らし、より演出効果を高めることが可能となる。また、第２照明によって、使用者の顔を柔らかく照らし、鏡に映った顔をより美しく見せることができるとともに、水栓を用いて手を洗う際に、使用者の手を十分に照らすことができる。
【００１３】
第４の発明は、第３の発明において、前記第１照明から下方に向けて照射される光の照度は、前記第２照明から上方に向けて照射される光の照度よりも高いことを特徴とするトイレシステムである。
【００１４】
このトイレシステムによれば、鏡の前の使用者に対して、下方から顔に向けて照射される光の照度を、上方から顔に照射される光の照度よりも低く抑えることができ、鏡に映った使用者の顔をより美しく見せることができる。
【００１５】
第５の発明は、第１〜第４のいずれかの発明において、前記第１照明から照射される光の照度は、前記第２照明から照射される光の照度よりも高いことを特徴とするトイレシステムである。
【００１６】
このトイレシステムによれば、鏡の使用者を、下方からの光に対して上方から十分に照らすことができ、鏡に映った使用者をより美しく見せることができる。また、トイレ室の上側の明るさを、下側の明るさよりも明るくすることができるため、トイレ室内の明るさにコントラストを付け、演出効果を高めることができる。
【発明の効果】
【００１７】
本発明の態様によれば、使い勝手を向上させることが可能なトイレシステムが提供される。
【図面の簡単な説明】
【００１８】
【図１】実施形態に係るトイレシステムの斜視図である。
【図２】実施形態に係るトイレシステムが有するトイレ装置を表す図である。
【図３】実施形態に係るトイレシステムの一部の断面図である。
【図４】実施形態に係るトイレシステムが有するリモコンの斜視図である。
【図５】実施形態に係るトイレシステムが有する第１照明の斜視断面図である。
【図６】実施形態に係るトイレシステムが有する第２照明の斜視断面図である。
【図７】照度の測定方法を説明するための断面図である。
【発明を実施するための形態】
【００１９】
以下、本発明の実施形態について図面を参照しつつ説明する。なお、各図面中、同様の構成要素には同一の符号を付して詳細な説明は適宜省略する。
図１は、実施形態に係るトイレシステム１の斜視図である。
図１に表したように、本実施形態に係るトイレシステム１は、鏡２０と、キャビネット３０と、手洗い器４０と、リモコン５０と、を備える。これらの構成要素は、トイレ装置１０が配されたトイレ室ＴＲの内部に設けられる。
【００２０】
なお、本願明細書においては、各実施形態の説明のために、「方向」を用いる。これらの「方向」は、全て、トイレ装置１０の便座に着座した使用者からみた場合の方向を表している。例えば、便座に着座した使用者からみて前方を「前方」とし、便座に着座した使用者からみて右側方を「右側方」としている。
【００２１】
図１に表したように、トイレ装置１０は、トイレ室ＴＲの床面ＦＳ上に設置されている。あるいは、トイレ装置１０は、トイレ室ＴＲの側壁に、支柱によって支持されていてもよい。
【００２２】
図２（ａ）は、実施形態に係るトイレシステム１が有するトイレ装置の平面図であり、図２（ｂ）は、該トイレ装置の斜視図である。
図２（ａ）および図２（ｂ）に表したように、トイレ装置１０は、便器１１と、便座１２と、便蓋１３と、本体部１４と、を有する。便座１２は、便器１１の上に設けられている。便蓋１３は、便器１１の上に、便座１２を覆うように設けられている。本体部１４は、便器１１の後方上部に設けられている。便座１２および便蓋１３は、本体部１４によって回動可能に軸支されている。
【００２３】
本体部１４は、制御部１５を有する。制御部１５は、トイレ装置１０やトイレ室ＴＲ内に設けられた他の構成要素の動作を制御する。本体部１４は、図２（ａ）に表したように、人体検知センサ１７と、着座検知センサ１８と、をさらに有していてもよい。人体検知センサ１７は、例えば、赤外線センサやマイクロ波センサなどであり、トイレ室ＴＲへの人体の入室を検知する。着座検知センサ１８は、例えば、赤外線を用いた測距センサであり、便座１２への人体の着座を検知する。
本体部１４が人体検知センサ１７および着座検知センサ１８を有する場合、これらのセンサは、その検知結果を制御部１５に送信する。制御部１５は、人体検知センサ１７および着座検知センサ１８から送信された検知結果に基づき、トイレ室ＴＲ内に設けられた各構成要素の動作を制御することができる。
また、トイレ装置１０は、便座１２を温める暖房便座機能や便座１２に着座した使用者の局部を洗浄する局部洗浄機能などを、さらに有していてもよい。
【００２４】
図３は、実施形態に係るトイレシステム１の一部の断面図である。
より具体的には、図３の断面図は、鏡２０、キャビネット３０、および手洗い器４０を含む、側壁ＳＷ１に対して垂直な面における断面構造を表す。
図３に表したように、鏡２０は、トイレ室ＴＲ内部に面する鏡面ＭＳを有する。また、鏡２０は、第１照明２１と、第２照明２２と、支持部２３と、制御部２４と、を有し、支持部２３によって側壁ＳＷ１に取り付けられている。
【００２５】
第１照明２１は、鏡２０の上部に設けられている。第１照明２１は、第１照明２１の下方に向けて光Ｌ１を照射する。第１照明２１は、さらに第１照明２１の上方に向けて光Ｌ２を照射してもよい。
第２照明２２は、鏡２０の下部に設けられている。第２照明２２は、第２照明２２の下方に向けて光Ｌ３を照射する。第２照明２２は、さらに第２照明２２の上方に向けて光Ｌ４を照射してもよい。
【００２６】
制御部２４と各照明は、不図示の配線により接続されている。制御部２４は、例えば、制御部１５から送られた信号に基づいて、第１照明２１および第２照明２２を点灯または消灯させる。
【００２７】
キャビネット３０は、鏡２０の下方において、トイレ室ＴＲの側壁ＳＷ１に取り付けられている。キャビネット３０は、内部に空間を有し、この内部空間に備品を収納可能に構成されている。また、キャビネット３０は、トイレ室ＴＲの床面ＦＳと離間しており、キャビネット３０と床面ＦＳとの間には空間が形成されている。
【００２８】
キャビネット３０の上面は、平滑化された平面であり、カウンター３１になっている。カウンター３１はトイレ室ＴＲの側壁ＳＷ１に沿って延びており、カウンター３１の上には、装飾品を載置したり、トイレ室ＴＲの利用者が小物を置いたりできるように構成されている。
【００２９】
図１に表したように、手洗い器４０は、ボウル４１と、水栓４２と、を有する。また、図３に表したように、手洗い器４０は、カウンター３１の上に設けられている。キャビネット３０の中には、ボウル４１の排水口と接続された不図示の配水管が設けられている。第１照明２１および第２照明２２の点灯時には、手洗い器４０近傍を含むカウンター３１が照らされる。
【００３０】
図４は、実施形態に係るトイレシステム１が有するリモコンの斜視図である。
図４（ａ）は、リモコン５０が開いた状態を表し、図４（ｂ）は、リモコン５０が閉じた状態を表している。
図４（ａ）に表したように、リモコン５０は、キャビネット３０に埋め込まれており、待機状態では操作部５２がキャビネット３０の内部側に向いている。リモコン５０は、例えば、着座検知センサ１８が便座１２への着座を検知すると、図４（ｂ）に表したように、制御部１５によって開かれる。これにより、使用者が、リモコン５０の操作部５２を操作可能となる。一例として、リモコン５０は、ボタン５２ａ〜５２ｃおよびタッチスクリーン５２ｄを有する。使用者は、これらの入力手段を用いて、局部洗浄機能の開始および停止や、便器１１の洗浄、便座暖房機能のオン・オフなどを操作することができる。
【００３１】
また、第１照明２１および第２照明２２がＬＥＤ(Light Emitting Diode)である場合、使用者が操作部５２によって第１照明２１および第２照明２２の照度や色温度などを変更できるように、トイレシステム１が構成されていてもよい。
【００３２】
なお、リモコン５０は、図４に表した形態に限られず、例えばキャビネット３０の側面上に取り付けられたものであってもよい。
【００３３】
次に、図５および図６を用いて、第１照明２１および第２照明２２の構造について、より具体的に説明する。
図５は、実施形態に係るトイレシステム１が有する第１照明２１の斜視断面図である。
図６は、実施形態に係るトイレシステム１が有する第２照明２２の斜視断面図である。
【００３４】
図５に表したように、第１照明２１は、ケース２１０と、発光部２１５と、を有する。ケース２１０は、第１透過部２１１と、第２透過部２１２と、を有する。第１透過部２１１はケース２１０の上面の一部に設けられ、第２透過部２１２はケース２１０の下面の一部に設けられている。また、第１透過部２１１および第２透過部２１２は、鏡面ＭＳの上端に沿って前後方向に延びている。第１透過部２１１および第２透過部２１２は、透明または半透明であり、ケース２１０の第１透過部２１１および第２透過部２１２以外の部分は、不透明である。
【００３５】
発光部２１５は、例えば、ケース２１０上部の内壁に取り付けられており、第２透過部２１２に向けて光を照射する。発光部２１５は、第１透過部２１１および第２透過部２１２と同様に、鏡面ＭＳの上端に沿って設けられている。発光部２１５は、前後方向に延びる長いものであっても良いし、複数の発光部２１５が前後方向に配列されていてもよい。
【００３６】
発光部２１５から照射され、第２透過部２１２を透過した光は、第１照明２１の下方を照らす。また、発光部２１５から照射された光の一部は、ケース２１０内部で反射し、第１透過部２１１を透過する。第１透過部２１１を透過した光は、第１照明２１の上方を照らす。
【００３７】
第２透過部２１２の幅Ｗ２は、第１透過部２１１の幅Ｗ１よりも広い。加えて、発光部２１５は、第２透過部２１２に向けて光を照射するように取り付けられている。このため、第２透過部２１２を透過して第１照明２１の下方に照射される光の照度は、第１透過部２１１を透過して第１照明２１の上方に照射される光の照度よりも、高い。
なお、ここでは、幅とは、鏡面ＭＳに対して垂直な方向における寸法を意味している。
【００３８】
図６に表したように、第２照明２２は、ケース２２０と、発光部２２５と、を有する。ケース２２０は、第３透過部２２３と、第４透過部２２４と、を有する。第３透過部２２３はケース２２０の上面の一部に設けられ、第４透過部２２４はケース２２０の下面の一部に設けられている。また、第３透過部２２３および第４透過部２２４は、鏡面ＭＳの下端に沿って前後方向に延びている。第３透過部２２３および第４透過部２２４は、透明または半透明であり、ケース２２０の第３透過部２２３および第４透過部２２４以外の部分は、不透明である。
【００３９】
発光部２２５は、例えば、ケース２２０上部の内壁に取り付けられており、鏡２０の鏡面ＭＳの直下に位置している。また、発光部２２５は、第４透過部２２４に向けて光を照射するように取り付けられている。発光部２２５は、第３透過部２２３および第４透過部２２４と同様に、鏡面ＭＳの下端に沿って設けられている。発光部２２５は、前後方向に延びる長いものであっても良いし、複数の発光部２２５が前後方向に配列されていてもよい。
【００４０】
発光部２２５から照射され、第４透過部２２４を透過した光は、第２照明２２の下方を照らす。また、発光部２２５から照射された光の一部は、ケース２２０内部で反射し、第３透過部２２３を透過する。第３透過部２２３を透過した光は、第２照明２２の上方を照らす。
【００４１】
第４透過部２２４の幅Ｗ４は、第３透過部２２３の幅Ｗ３よりも広い。加えて、発光部２２５は、第４透過部２２４に向けて取り付けられている。このため、第４透過部２２４を透過して第２照明２２の下方に照射される光の照度は、第３透過部２２３を透過して第２照明２２の上方に照射される光の照度よりも、高い。
【００４２】
また、第１照明２１から照射される光の照度は、第２照明２２から照射される光の照度よりも高い。より具体的には、第１照明２１から下方に向けて照射される光の照度は、第２照明２２から下方に向けて照射される光の照度よりも高く、第１照明２１から上方に向けて照射される光の照度は、第２照明２２から上方に向けて照射される光の照度よりも高い。
【００４３】
一例として、幅Ｗ１と幅Ｗ３は同じであり、幅Ｗ２と幅Ｗ４は同じである。また、発光部２１５および２２５は、ＬＥＤである。この場合において、発光部２１５に流す電流を、発光部２２５に流す電流よりも大きくすることで、第１照明２１から照射される光の照度を、第２照明から照射される光の照度よりも高くすることができる。
【００４４】
または、以下の態様を採用することで、第１照明２１から照射される光の照度を、第２照明から照射される光の照度よりも高くすることができる。
１つ目に、発光部２１５に発光部２２５よりも輝度の高いものを用いることが挙げられる。２つ目に、発光部２１５に発光部２２５よりも多くの発光素子を配することが挙げられる。３つ目に、幅Ｗ１を幅Ｗ３よりも広くし、幅Ｗ２を幅Ｗ４よりも広くすることが挙げられる。
なお、既に述べた発光部２１５および発光部２２５への電流の制御も含め、上述したそれぞれの態様は、適宜相互に組み合わせて採用することが可能である。
【００４５】
また、図５に表した、第１照明２１の先端部と鏡面ＭＳとの間の距離Ｄ１は、図６に表した、第２照明２２の先端部と鏡面ＭＳとの間の距離Ｄ２よりも、長い。すなわち、第１照明２１は、第２照明２２よりも、鏡２０の前方に向かって突出している。
なお、鏡２０の前方は、図５および図６に表す座標系の左側方に相当する。
【００４６】
ここで、上述した照度の関係を確認するための照度の測定方法の一例と、照度の測定結果について、図７を用いて説明する。
図７は、照度の測定方法を説明するための断面図である。
図７に表したように、照度の測定は、例えば照度計６０を用いて行われる。
【００４７】
なお、ここでは、鏡２０の寸法は、以下の通りである。鏡２０の上端から下端までの長さは、４７８ｍｍである。第１照明２１と第２照明２２との間の寸法（鏡面ＭＳの上下方向の長さ）は、４５０ｍｍである。また、鏡２０の鏡面ＭＳと側壁ＳＷ１との間の距離Ｄ１１は、５３ｍｍである。第１照明２１の先端部と側壁ＳＷ１との間の距離Ｄ１２は、７４ｍｍである。第２照明２２の先端部と側壁ＳＷ１との間の距離Ｄ１３は、６４ｍｍである。
【００４８】
上述した条件において、第１照明２１および第２照明２２から、それぞれの上下方向に照射される光の強度は、例えば、鏡面ＭＳと照度計６０との間の距離Ｄ１４を５０ｍｍとして、測定される。
第１照明２１から上方に向けて照射される光の照度は、照度計６０を第１照明２１の上方に配し、第１照明２１と照度計６０との間の上下方向における距離Ｄ１５を３００ｍｍとして、測定される。
第１照明２１から下方に向けて照射される光の照度は、照度計６０を第１照明２１の下方に配し、第１照明２１と照度計６０との間の上下方向における距離Ｄ１６を３００ｍｍとして、測定される。
【００４９】
第２照明２２から上方に向けて照射される光の照度は、照度計６０を第２照明２２の上方に配し、第２照明２２と照度計６０との間の上下方向における距離Ｄ１７を３００ｍｍとして、測定される。
第２照明２２から下方に向けて照射される光の照度は、照度計６０を第２照明２２の下方に配し、第２照明２２と照度計６０との間の上下方向における距離Ｄ１８を３００ｍｍとして、測定される。
【００５０】
第１照明２１から照射される光の照度と、第２照明２２から照射される光の照度と、の比較は、第１照明２１から上下に向けて照射される光の照度の合計と、第２照明２２から上下に向けて照射される光の照度の合計と、の比較により、行うことができる。
【００５１】
あるいは、鏡面ＭＳ上端の正面における照度と、鏡面ＭＳ下端の正面における照度と、を比較することで、第１照明２１と第２照明２２との照度の比較を行ってもよい。
この場合、第１照明２１から照射される光の照度は、照度計６０を鏡面ＭＳ上端の前方に配し、第１照明２１と照度計６０との間の距離Ｄ１９を３００ｍｍとして、測定することができる。
第２照明２２から照射される光の照度は、照度計６０を鏡面ＭＳ下端の前方に配し、第２照明２２と照度計６０との間の距離Ｄ２０を３００ｍｍとして、測定することができる。
【００５２】
以上の条件で、第１照明２１および第２照明２２のそれぞれから上下方向に照射される光を測定した結果は、以下の通りであった。
第１照明２１から上方に向けて照射される光の照度は、８５．９ｌｘ（ルクス）であった。第１照明２１から下方に向けて照射される光の照度は、６３８．３ｌｘであった。
第２照明２２から上方に向けて照射される光の照度は、６８．１ｌｘであった。第２照明２２から下方に向けて照射される光の照度は、３９７．９ｌｘであった。
【００５３】
本実施形態に係るトイレシステムでは、上述したように、第１照明２１が、鏡２０の上部に設けられ、第１照明２１の下方に向けて光を照射する。このため、鏡２０の鏡面ＭＳを十分に照らすことができる。
その一方で、第１照明２１は、手洗い器４０（水栓４２）との間の距離が長い。仮に、第１照明２１のみで、鏡２０と手洗い器４０の両方を照らす場合、手洗い器４０近傍を十分に照らすためには、第１照明２１の照度を高めなければならない。
しかし、第１照明２１は、鏡２０の上部に設けられていることから、トイレ室ＴＲの使用者が便座１２に着座した際に、光が眼に入りやすい。従って、第１照明２１の照度を高くしすぎると、使用者が便座１２に着座した際に眩しさを感じてしまう。特に夜間では、そのような照明は、使用者の眠気を覚ましてしまうため、望ましくない。
この点について、本実施形態に係るトイレシステムは、第１照明２１に加えて第２照明２２が設けられている。第２照明２２は、鏡２０の下部に設けられ、第２照明２２の下方に向けて光を照射するため、着座した使用者の目に光が入り難い。また、第１照明２１から下方に向けて照射される光で手洗い器４０を照らす場合、鏡２０の下部が影となり、手洗い器４０周りが見えにくくなるが、第２照明２２は、鏡２０の下部に設けられ、かつ手洗い器４０との距離が近いため、手洗い器４０に効率的に光を照射することができる。従って、第２照明２２によって手洗い器４０を照らす分、第１照明２１から照射される光の照度を低減し、便座１２に着座した使用者に対する眩しさを低減することができる。
すなわち、本実施形態によれば、鏡２０および手洗い器４０を十分に照らしてトイレシステムの使い勝手を向上させるとともに、便座１２に着座した使用者に対する眩しさを低減させることが可能となる。
【００５４】
また、一般的に、鏡が設けられたトイレ室においては、鏡の鏡面と、鏡が取り付けられた側壁との間の距離が短い。このため、本実施形態のように、鏡２０の下部に第２照明２２を設け、第２照明２２から下方に向けて光を照射することで、側壁ＳＷ１の鏡２０とカウンター３１との間を照らし、演出効果を高めることもできる。
【００５５】
第１照明２１は、さらに上方に向けて光を照射する。第１照明２１から上方に向けて光を照射することで、トイレ室ＴＲの天井を照らし、より演出効果を高めることができる。
第２照明２２も同様に、さらに上方に向けて光を照射する。第２照明２２から上方に向けて光を照射することで、着座した使用者に対する光の照射を抑えつつ、鏡２０の鏡面ＭＳを照らし、鏡面ＭＳに映った使用者をより美しく見せることが可能となる。また、第１照明２１と第２照明２２によって、使用者の顔を上下から照らすことで、照明によって顔にできる影を抑え、鏡面ＭＳに映った使用者をより美しく見せることが可能である。
【００５６】
このとき、第１照明２１から上方に向けて照射される光の照度は、第１照明２１から下方に向けて照射される光の照度よりも低いことが望ましい。こうすることで、トイレ室ＴＲの天井を柔らかく照らし、より演出効果を高めることが可能となる。
【００５７】
また、鏡２０の下方から顔を強く照らすと、顎や頬骨などの突出した部分の影が強調されて見え、鏡面ＭＳに映った使用者の顔の見栄えが悪くなってしまう。第２照明２２から上方に向けて照射される光の照度を、第２照明２２から下方に向けて照射される光の照度よりも低くすることで、使用者の顔を下方から柔らかく照らし、鏡面ＭＳに映った顔をより美しく見せることができる。さらに、使用者が手洗い器４０を用いて手を洗う際には、鏡２０と使用者の顔との距離が短くなるが、このような場合でも、使用者が眩しさを感じにくくなるとともに、手洗い器４０（水栓４２）を用いて手を洗う際に、使用者の手を十分に照らすことができる。
【００５８】
加えて、第２照明２２から上方に向けて照射される光の照度を、第１照明２１から下方に向けて照射される光の照度よりも低くすることがより望ましい。こうすることで、鏡２０の前の使用者に対して、下方から顔に照射される光の照度を、上方から顔に照射される光の照度よりも低く抑えることができ、鏡面ＭＳに映った使用者の顔をより美しく見せることができる。
【００５９】
このとき、前述したように、幅Ｗ１と幅Ｗ３を同じとし、幅Ｗ２と幅Ｗ４を同じとすることが望ましい。この構成によれば、発光部２１５および発光部２２５に同じ輝度のものを用いた場合であっても、第２照明２２から上方に向けて照射される光の照度を、第１照明２１から下方に向けて照射される光の照度よりも低くすることができる。すなわち、第１照明２１および第２照明２２に同じユニットを用いて上述した照度の関係を実現することができる。このため、トイレシステムの製造を容易とし、トイレシステムの製造コストを低減することが可能となる。
【００６０】
ここで、図５および図６に表したように、鏡面ＭＳと第２照明２２の先端部との間の距離Ｄ２は、鏡面ＭＳと第１照明２１の先端部との間の距離Ｄ１よりも短いことが望ましい。距離Ｄ２を距離Ｄ１より短くすることで、水栓４２を用いて手を洗う際に、使用者から自身の手が見えやすくなり、水栓４２の使い勝手を向上させることができる。このとき、幅Ｗ４を幅Ｗ１や幅Ｗ３よりも広くすることで、手洗い器４０周りのより広い範囲を一様に照らすことができ、水栓４２の使い勝手をより一層向上させることができる。また、距離Ｄ２を距離Ｄ１より短くすることで、使用者が手を洗う際の、使用者の顔と第２照明２２との距離を長くすることができる。これにより、使用者が手洗い時に眩しさを感じにくくなる。特に、幅Ｗ３を幅Ｗ２や幅Ｗ４よりも狭くすることで、光源が使用者から見えにくくなるため、使用者がより一層眩しさを感じにくくなる。
【００６１】
また、第１照明２１から照射される光の照度は、第２照明２２から照射される光の照度よりも高いことが望ましい。こうすることで、鏡２０前方の使用者の顔を、下方からの光に対して上方から十分に照らすことができ、鏡２０に映った使用者をより使用者を美しく見せることができる。また、トイレ室ＴＲの上側の明るさを、下側の明るさよりも明るくすることができるため、トイレ室ＴＲ内の明るさにコントラストを付け、演出効果を高めることができる。
【００６２】
このとき、発光部２１５および発光部２２５は、ＬＥＤであることが望ましい。発光部２１５および発光部２２５にＬＥＤを採用することで、発光部２１５に流す電流を、発光部２２５に流す電流よりも大きくすることで、第１照明２１から照射される光の照度を、第２照明から照射される光の照度よりも高くすることができる。すなわち、この態様によれば、第１照明２１および第２照明２２に同じユニットを用いて上述した照度の関係を実現することができる。このため、トイレシステムの製造を容易とし、トイレシステムの製造コストを低減することが可能となる。
【００６３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、トイレ装置１０、鏡２０、キャビネット３０、手洗い器４０、およびリモコン５０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
１ トイレシステム、  １０ トイレ装置、  １１ 便器、  １２ 便座、  １３ 便蓋、  １４ 本体部、  １５ 制御部、  １７ 人体検知センサ、  １８ 着座検知センサ、  ２０ 鏡、  ２１ 第１照明、  ２２ 第２照明、  ２３ 支持部、  ２４ 制御部、  ３０ キャビネット、  ３１ カウンター、  ４０ 手洗い器、  ４１ ボウル、  ４２ 水栓、  ５０ リモコン、  ６０ 照度計、  ２１０ ケース、  ２１１ 第１透過部、  ２１２ 第２透過部、  ２１５ 発光部、  ２２０ ケース、  ２２３ 第３透過部、  ２２４ 第４透過部、  ２２５ 発光部、  ＦＳ 床面、  ＭＳ 鏡面、  ＳＷ１ 側壁、  ＴＲ トイレ室
【図１】
0006771738.tif 000002
【図２】
0006771738.tif 000003
【図３】
0006771738.tif 000004
【図４】
0006771738.tif 000005
【図５】
0006771738.tif 000006
【図６】
0006771738.tif 000007
【図７】
0006771738.tif 000008